【手続補正書】
【提出日】平成16年4月22日(2004.4.22)
【手続補正１】
【補正対象書類名】明細書
【補正対象項目名】特許請求の範囲
【補正方法】変更
【補正の内容】
【特許請求の範囲】
【請求項１】
ユーザデータが記録されるユーザエリアと、
前記ユーザエリアに存在する欠陥を管理する欠陥管理エリアの位置を示すアドレスデータを格納するアドレスエリアと、
を備えたことを特徴とする情報記録媒体。
【請求項２】
ユーザデータが記録されるユーザエリアと、
前記ユーザエリアに存在する欠陥を管理する欠陥管理エリアの位置を示すアドレスデータを格納するアドレスエリアと、
前記欠陥管理エリアの予備エリアと、
を備えたことを特徴とする情報記録媒体。
【請求項３】
各種制御情報が記録される制御エリアと、ユーザデータが記録されるデータエリアとを備えた情報記録媒体であって、
前記データエリアは、
このデータエリア内に存在し得る欠陥エリアの交替先となるスペアエリアと、
前記欠陥エリアと前記スペアエリアの関係を示す欠陥管理情報を格納する欠陥管理エリアと、を有し、
前記制御エリアは、
前記欠陥管理エリアの位置を示すアドレスデータを格納するアドレスエリアを、有する、
ことを特徴とする情報記録媒体。
【請求項４】
各種制御情報が記録される制御エリアと、ユーザデータが記録されるデータエリアとを備えた情報記録媒体であって、
前記データエリアは、
このデータエリア内に存在し得る欠陥エリアの交替先となるスペアエリアと、
前記欠陥エリアと前記スペアエリアの関係を示す欠陥管理情報を格納する欠陥管理エリアと、
前記欠陥管理エリアの予備エリアと、を有し、
前記制御エリアは、
前記欠陥管理エリアの位置を示すアドレスデータを格納するアドレスエリアを、有する、
ことを特徴とする情報記録媒体。
【請求項５】
ユーザデータが記録されるデータエリアを備えた情報記録媒体であって、
前記データエリアは、
このデータエリア内に存在し得る欠陥エリアの交替先となるスペアエリアと、
前記欠陥エリアと前記スペアエリアの関係を示す欠陥管理情報を格納する欠陥管理エリアと、
前記欠陥管理エリアの予備エリアと、
を有することを特徴とする情報記録媒体。
【請求項６】
情報記録媒体は、
各種制御情報が記録される制御エリアと、
ユーザデータが記録されるデータエリアと、を備え、
前記データエリアは、
このデータエリア内に存在し得る欠陥エリアの交替先となるスペアエリアと、
前記欠陥エリアと前記スペアエリアの関係を示す欠陥管理情報を格納する欠陥管理エリアと、を有し、
前記制御エリアは、
前記欠陥管理エリアの位置を示すアドレスデータを格納するアドレスエリアを、有し、
前記情報記録媒体に対して情報を記録する情報記録方法であって、
前記アドレスエリアからアドレスデータを読み出し、このアドレスデータに基づき前記欠陥管理エリアから欠陥管理情報を読み出す第１のステップと、
前記欠陥管理情報に基づき、目的のデータの記録先が欠陥エリアに該当することが判明した場合には、この目的のデータをこの欠陥エリアの交替先となるスペアエリアに記録させる第２のステップと、
前記第２のステップにより交替記録されたことを示す情報を前記欠陥管理エリアに記録する第３のステップと、
を備えたことを特徴とする情報記録方法。
【請求項７】
情報記録媒体は、
各種制御情報が記録される制御エリアと、
ユーザデータが記録されるデータエリアと、を備え
前記データエリアは、
このデータエリア内に存在し得る欠陥エリアの交替先となるスペアエリアと、
前記欠陥エリアと前記スペアエリアの関係を示す欠陥管理情報を格納する欠陥管理エリアと、
前記欠陥管理エリアの予備エリアと、を有し、
前記制御エリアは、
前記欠陥管理エリアの位置を示すアドレスデータを格納するアドレスエリアを、有する、
前記情報記録媒体に対して情報を記録する情報記録方法であって、
前記アドレスエリアからアドレスデータを読み出し、このアドレスデータに基づき前記欠陥管理エリアから欠陥管理情報を読み出す第１のステップと、
前記第１のステップにより欠陥管理情報が読み出されたとき、所定の条件を判定基準として、前記欠陥管理エリアを前記予備エリアに交替記録する第２のステップと、
前記第２のステップにより前記欠陥管理エリアが前記予備エリアに交替記録されたとき、この交替記録に対応して前記アドレスエリアのアドレスデータを書き換える第３のステップと、
前記欠陥管理情報に基づき、目的のデータの記録先が欠陥エリアに該当することが判明した場合には、この目的のデータをこの欠陥エリアの交替先となるスペアエリアに交替記録させる第４のステップと、
前記第４のステップにより交替記録されたことを示す情報を前記欠陥管理エリアに記録する第５のステップと、
を備えたことを特徴とする情報記録方法。
【請求項８】
情報記録媒体は、
ユーザデータが記録されるデータエリアを備え、
前記データエリアは、
このデータエリア内に存在し得る欠陥エリアの交替先となるスペアエリアと、
前記欠陥エリアと前記スペアエリアの関係を示す欠陥管理情報を格納する欠陥管理エリアと、
前記欠陥管理エリアの予備エリアと、
を有し、
前記情報記録媒体に対して情報を記録する情報記録方法であって、
予め設定されたアドレスデータに基づき前記欠陥管理エリアから欠陥管理情報を読み出す第１のステップと、
前記第１のステップにより欠陥管理情報が読み出されたとき、所定の条件を判定基準として、前記欠陥管理エリアを前記予備エリアに交替記録する第２のステップと、
前記第２のステップにより前記欠陥管理エリアが前記予備エリアに交替記録されたとき、この交替記録に対応して前記アドレスエリアのアドレスデータを書き換える第３のステップと、
前記欠陥管理情報に基づき、目的のデータの記録先が欠陥エリアに該当することが判明した場合には、この目的のデータをこの欠陥エリアの交替先となるスペアエリアに交替記録させる第４のステップと、
前記第４のステップにより交替記録されたことを示す情報を前記欠陥管理エリアに記録する第５のステップと、
を備えたことを特徴とする情報記録方法。
【請求項９】
情報記録媒体は、
各種制御情報が記録される制御エリアと、
ユーザデータが記録されるデータエリアと、を備え、
前記データエリアは、
このデータエリア内に存在し得る欠陥エリアの交替先となるスペアエリアと、
前記欠陥エリアと前記スペアエリアの関係を示す欠陥管理情報を格納する欠陥管理エリアと、を有し、
前記制御エリアは、
前記欠陥管理エリアの位置を示すアドレスデータを格納するアドレスエリアを、有し、
前記情報記録媒体から情報を再生する情報再生装置であって、
前記アドレスエリアからアドレスデータを読み出し、このアドレスデータに基づき前記欠陥管理エリアから欠陥管理情報を読み出す前処理手段と、
前記データエリアから目的のデータを再生する再生手段と、
前記欠陥管理情報に基づき、前記目的のデータの記録先が欠陥エリアに該当することが判明した場合には、この目的のデータをこの欠陥エリアの交替先となるスペアエリアから再生する交替再生手段と、
を備えたことを特徴とする情報再生装置。
【請求項１０】
情報記録媒体は、
各種制御情報が記録される制御エリアと、
ユーザデータが記録されるデータエリアと、を備え、
前記データエリアは、
このデータエリア内に存在し得る欠陥エリアの交替先となるスペアエリアと、
前記欠陥エリアと前記スペアエリアの関係を示す欠陥管理情報を格納する欠陥管理エリアと、を有し、
前記制御エリアは、
前記欠陥管理エリアの位置を示すアドレスデータを格納するアドレスエリアを、有し、
前記情報記録媒体から情報を再生する情報再生方法であって、
前記アドレスエリアからアドレスデータを読み出し、このアドレスデータに基づき前記欠陥管理エリアから欠陥管理情報を読み出す第１のステップと、
前記欠陥管理情報に基づき、目的のデータの記録先が欠陥エリアに該当することが判明した場合には、この目的のデータをこの欠陥エリアの交替先となるスペアエリアから再生する第２のステップと、
を備えたことを特徴とする情報再生方法。